(57)【特許請求の範囲】
【請求項１】
ごみかご本体と蓋体と回転体と駆動体を有し、前記ごみかご本体の底部における中心に軸部を有し、前記蓋体に前記駆動体と回転体を有し、前記駆動体を回転させるとこれと噛合する回転体が回転し、回転体が有するかご体係合部によってごみかご本体が回転し、
前記蓋体は、つば部大径部とつば部中径部とつば部小径部を有し、前記蓋体における上から、前記つば部大径部、つば部中径部、つば部小径部の順に縮径することを特徴とする生ごみ脱水機。
【請求項２】
前記軸部は、前記ごみかご本体の底部と、係脱可能に配置することを特徴とする請求項１記載の生ごみ脱水機。
【発明の詳細な説明】
【技術分野】
【０００１】
本発明は、生ごみ脱水機に関するものである。
【背景技術】
【０００２】
従来、生ごみを処理するためには、流し台のシンクに置かれた三角コーナーに、水切りネットをかけ、それに生ごみを入れることによって自然に水切りがなされるのを待ちつつ、その三角コーナーが生ごみで満たされると、さらに水気を切ってから水切りネットごとごみ箱に捨てることによって処理をしていた。
【０００３】
このような三角コーナーを流し台のシンクに配置すると、調理の妨げになる場合があることから、これを防ぐために、シンクにおける排水口内に生ごみ籠を配置していた。また、当該生ごみ籠の下に、下水管から室内に害虫や悪臭が流入するのを防止するために、排水管を屈曲するように構成する、いわゆるＳ字トラップを設けることで悪臭等を防止する流し台は公知である。
【０００４】
これらの水切りは、例えば三角コーナーの場合には生ごみの入った水切りネットを手に持ち水気を絞ったり、あるいはシンクの排水口内に配置された上記生ごみ籠に集められた生ごみの水気を絞ったりした後に当該生ごみを廃棄して処理をする。しかしながら、この場合に悪臭を発する生ごみに触れて水気を切らなければならず、これらの作業は極めて不快である。また、生ごみは最終的に焼却処理されるが、水気があると焼却場の効率を悪化させるものとなる。これを解決するものとして、特開平９−２９０１７３号において生ごみ処理装置なるものが開示されている。
【０００５】
上記生ごみ処理装置は、流し台の底部に形成した集水口から排水口に延びる排水管内が隔壁により前記集水口に連通する生ごみ回収室と前記排水口に連通する排水室とに区画され、前記隔壁の側部に複数の脱水孔を有する脱水部が形成されると共に、前記隔壁の底部に複数のごみ排出孔を有する固定カッターが設けられ、前記生ごみ回収室内に生ごみ圧搾用スクリューが回転駆動可能に配置されると共に、該スクリューの先端に前記固定カッターに接近して回転カッターが設けられていることを特徴とするものである。
【０００６】
しかしながら、上記発明に係る生ごみ処理装置は、あらかじめ、シンクに組み込まれているものであることから、この生ごみ処理装置を設置するためにはシンク全体を交換しなければならずコストがかさむことになる。また、生ごみを固定カッターで粉砕し、そのまま下水管に流すという構成であることから、家庭内において生ごみを処理する必要がないが、粉砕された生ごみが下水管を塞ぐ場合がある。また、また自治体によっては下水の処理の能力の関係から処理するための負担を生じさせる場合がある。
【先行技術文献】
【特許文献】
【０００７】
【特許文献１】特開平９−２９０１７３号公報
【発明の概要】
【発明が解決しようとする課題】
【０００８】
本発明の課題は、生ごみ処理装置付の新たなシンクに取り換えることなく、既に設置されている従来の流し台のシンクにおける排水口内に配置する生ごみ脱水機を提供することを目的とする。
【０００９】
上記目的に鑑み鋭意研究の結果、本発明者は、排水口内に生ごみ脱水機を配置した場合において当該ごみかご本体の底部の中心を支えることにより、ごみかご本体がスムーズに回転することで生ごみの効率的な脱水ができることを発見した。すなわち、当該脱水機におけるごみかご本体の底部の中心に軸部を有することで、当該ごみかご本体のスムーズな回転ができることを見出し、本発明に想到したものである。このような発見のもと、前記の課題を解決するため、本発明は、ごみかご本体と蓋体と回転体と駆動体を有し、前記ごみかご本体の底部における中心に軸部を有し、前記蓋体に前記駆動体と回転体を有し前記駆動体を回転させると、これと噛合する回転体が回転し、回転体が有するかご体係合部のよってごみかご本体が回転するという手段を講じたものである。
【００１０】
流し台のシンクの排水口内において、生ごみ籠が設けられているが、その生ごみ籠を本発明に係る生ごみ脱水機に交換すると、ごみかご本体の底部における中心に配置した軸部によって当該生ごみ脱水機を支えることができるので、生ごみ脱水機におけるごみかご本体の回転がスムーズになり確実に生ごみの脱水をすることができる。
【００１１】
また、前記の課題を解決するため、前記蓋体は、つば部大径部とつば部中径部とつば部小径部を有し、前記蓋体における上から、前記つば部大径部、つば部中径部、つば部小径部の順に縮径するという手段を講じたものである。排水口と蓋体におけるつば部中径部あるいはつば部小径部と嵌合することができるために、蓋体と、軸部により生ごみ脱水機を支えることができるので、生ごみ脱水機におけるごみかご本体の回転がスムーズになり確実に生ごみの脱水をすることができる。
【００１２】
また、前記の課題を解決するため、前記軸部は、前記ごみかご本体の底部と、取り外し可能に配置するという手段を講じたものである。
【００１３】
軸部は、排水口の深さあるいはごみかご本体の容量に応じて、異なる長さの軸部に交換することができるというものである。
【発明の効果】
【００１４】
本発明は以上のように構成され、かつ、作用するものであり、従来の流し台のシンクにおける排水口内において、ごみかご本体を円滑に回転することができ生ごみ脱水機を提供することができる。
【図面の簡単な説明】
【００１５】
【図１】Ａは生ごみ脱水機の平面図、Ｂは生ごみ脱水機の側面図、Ｃは生ごみ脱水機の断面図
【図２】Ａは軸部の平面図、Ｂは軸部の側面図
【図３】Ａは他の実施例における軸部の平面図、Ｂは他の実施例における軸部の側面図
【図４】Ａは他の実施例における軸部の平面図、Ｂは他の実施例における軸部の側面図
【図５】Ａはごみかご本体の平面図、Ｂはごみかご本体の断面図、Ｃはごみかご本体の側面図
【図６】Ａは他の実施例のごみかご本体の平面図、Ｂは他の実施例のごみかご本体の断面図、Ｃは他の実施例のごみかご本体の側面図
【図７】Ａは蓋体の平面図、Ｂは蓋体の断面図、Ｃは蓋体の側面図、Ｄは蓋体の底面図
【図８】Ａは回転体の平面図、Ｂは回転体の側面図、Ｃは回転体の断面図
【図９】Ａは駆動体の平面図、Ｂは駆動体の断面図、Ｃは駆動体の底面図
【図１０】Ａは把持部の側面図、Ｂは把持部の底面図、Ｃは把持部の断面図
【図１１】流し台の斜視図
【図１２】Ａはシンクの排水口内に生ごみ脱水機を配置した状態の断面図。Ｂは、シンクの排水口内に生ごみ脱水機を配置した状態の拡大断面図
【図１３】流し台の斜視図シンクの排水口内に防臭わんを配置しない状態の斜視図
【図１４】シンクの排水口内に生ごみ脱水機を配置した状態の断面図
【発明を実施するための最良の形態】
【００１６】
生ごみ脱水機１００は、ごみかご本体１２０と、蓋体１４０と回転体１５０と駆動体１６０と把持部１７０を有するものである。また、これらは合成樹脂で製作することができる。ごみかご本体１２０は、底部１２１を有し側面部１２２を有する有底筒状であり上部の開口部１２６に向かって拡径する形状である。また、底部１２１には、軸部１２７を取り付けるために軸受け部１２１ａ、１２１ａを有している。また、軸部１２７は、軸部本体１２７ａと、軸フランジ部１２７ｂと軸接続部１２７ｃ、１２７ｃを有するものである。
【００１７】
軸接続部１２７ｃ、１２７ｃはその間に空所１２７ｄを有することによって内径方向に変形可能に構成され、また、軸接続部１２７ｃ、１２７ｃの先端は外方に突出した形状を呈することによって、前記軸受け部１２１ａ、１２１ａから軸接続部１２７ｃ、１２７ｃが抜け出すことを防止するものである。もっとも一定以上の力を加えれば、前記軸受け部１２１ａ、１２１ａから軸部１２７を取り外すことができる。すなわち、軸部１２７を前記軸受け部１２１ａ、１２１ａから係脱可能に取り外すことができるものである。また、軸フランジ部１２７ｂは、軸部１２７をごみかご本体１２０の底部１２１に取り付けた場合に、ごみかご本体１２０の底部１２１を支えるものである。なお、軸部１２７′と軸部１２７″は、それぞれ軸部本体１２７ａ′と軸部本体１２７ａ″の長さが異なるのみであり、他の構成は同様であるので符号を付して説明は省略する。
【００１８】
また、生ごみの水気が切れるように、側面部１２２は、一定間隔の隙間１２３が、複数設けられている。これは、複数の長片１３３と隙間１２３と短片１３４が交互に並べられて当該側面部１２２を構成し、その、複数の各長片１３３と複数の短片１３４の各下端部は底部１２１において一体化されている。
【００１９】
また、側面部１２２の上部は段差部１２４を有し当該側面部１２２の上方を周回するように配置している。またさらに段差部１２４の上端部はフランジ部１２５を有する。これは、後述の蓋体１４０を取り付けるというよりも載置するためのものである。
【００２０】
複数の各長片１３３の上端部１３３ａは、外方へ突出したフランジ状を呈し、前記段差部１２４の内面で一体となっている。また、複数の短片１３４の各上端部１３４ａは、外方へ突出することなく、ほぼ各長片１３３の上端部１３３ａの直下に位置するものである。したがって、各長片１３３の上端部１３３ａ、上端部１３３ａ同士の間は空所１３３ｂをそれぞれ有することになり、後述の回転体１５０の各かご体係合部１５４が係合するものである。
【００２１】
同様に、ごみかご本体１２０′は、ごみかご本体１２０よりもその容量が小であり、他の構成は、ごみかご本体１２０と同様である。念のため説明すると、ごみかご本体１２０′は、底部１２１′を有し側面部１２２′を有する有底筒状であり上部の開口部１２６′に向かって拡径する形状である。また、底部１２１′軸部１２７を取り付けるために軸受け部１２１ａ′、１２１ａ′を有し、軸部１２７と係脱可能に接続することができる。なお、軸部１２７については上記と同様であり符号を付して説明は省略する。また、軸部１２７のみならず、軸部１２７′あるいは軸部１２７″と係脱可能に接続することができる。
【００２２】
また、生ごみの水気が切れるように、側面部１２２′は、一定間隔の隙間１２３′が、複数設けられている。これは、複数の長片１３３′と隙間１２３′と短片１３４′が交互に並べられて当該側面部１２２′を構成し、その、複数の各長片１３３′と複数の短片１３４′の各下端部は底部１２１′において一体化されている。
【００２３】
また、側面部１２２′の上部は段差部１２４′を有し当該側面部１２２′の上方を周回するように配置している。またさらに段差部１２４′の上端部はフランジ部１２５′を有し、後述の蓋体１４０を取り付けるというよりも載置するためのものである。
【００２４】
複数の各長片１３３′の上端部１３３ａ′は、外方へ突出したフランジ状を呈し、前記段差部１２４′の内面で一体となっている。また、複数の短片１３４′の各上端部１３４ａ′は、外方へ突出することなく、ほぼ各長片１３３′の上端部１３３ａ′の直下に位置するものである。したがって、各長片１３３′の上端部１３３ａ′、上端部１３３ａ′同士の間は空所１３３ｂ′をそれぞれ有することになり、後述の回転体１５０の各かご体係合部１５４が係合するものである。
【００２５】
蓋体１４０は後述する回転体１５０と駆動体１６０を回転可能に収容するものであって、文字通り前記ごみかご本体１２０の蓋として機能することができる。蓋体１４０は、下向きに開口するほぼ短円筒形状を呈するものである。また、つば部１４１の外径部分は、上から順に、つば部大径部１４１ａ、つば部中径部１４１ｂ、つば部小径部１４１ｃが配置され、文字通り、つば部大径部１４１ａ、つば部中径部１４１ｂ、つば部小径部１４１ｃの順に縮径したものであって、口径の異なる排水口に対応するように構成している。このように排水口２０２の口径の大きさは、いくつかのバリエーションがあるものの、上記のつば部中径部１４１ｂ、つば部小径部１４１ｃを蓋体１４０に有することで異なるシンクの排水口の口径に対応することができる。
【００２６】
また、円周溝１４２は、平面視、円形の蓋体１４０においてその中心からずれた位置に配置されている。ここで、ずれた位置とは、円形の蓋体１４０の中心と、円周溝１４２の中心が一致しないということである。また、この円周溝１４２は、後述する駆動体１６０の平面視円形のつば部１６２が配置されるものであり、駆動体１６０が回転するための軌道を規定したものである。よって、これにより駆動体１６０の回転を円滑に行うことができる。また、その円周溝１４２の径は蓋体１４０の径のほぼ半分であるがこれに限定されるものではない。
【００２７】
軸受け部１４３は、後述する駆動体１６０の駆動軸部１６４と嵌合するものであり、駆動体１６０を回転可能に支持するものである。また、空所１４５は、後述の回転体１５０における歯車１５３の一部が配置されるものである。支え部１４６は、後述の駆動体１６０を回転させる場合に支えとなるものである。
【００２８】
軸受け部１４４は、後述する回転体１５０の回転軸部１５２と嵌合するものであり、回転体１５０を回転可能に支持するものである。
【００２９】
回転体１５０は、平面視ほぼ円形の回転本体１５１を有し、その中心に回転軸部１５２が上方へ突出するように配置されている。回転軸部１５２は、２股に分割された先端１５２ａ、１５２ａを有し、その間に、空所１５２ｂを有することによって内径方向に変形可能に構成され、また、該先端１５２ａ、１５２ａは外方に突出した形状を呈することによって、前記軸受け部１４４から回転軸部１５２が抜け出すことを防止しつつ、回転体１５０を回転可能に支持するものである。
【００３０】
歯車１５３は、前記回転軸部１５２周りに配置され、その中心は回転軸部１５２と一致する。またその内部に空所１５３ａを有している。さらに、回転本体１５１の下部には、前記回転本体１５１から垂れ下がるようにかご体係合部１５４が複数配置されている。
【００３１】
駆動体１６０は、全体としてほぼ短円筒形状を呈し、駆動本体１６１の外周を取り囲むようにつば部１６２を配置し、そのつば部１６２の内側即ち内周面に、歯車部１６３を配置している。また駆動軸部１６４は駆動本体１６１における裏側の中心から、前記つば部１６２の内部に突出する構成である。また、駆動軸部１６４は、２股に分割された先端１６４ａ、１６４ａを有し、その間に、空所１６４ｂを有することによって内径方向に変形可能に構成され、また、該先端１６４ａ、１６４ａは外方に突出した形状を呈することによって、前記軸受け部１４３から駆動軸部１６４が抜け出すことを防止しつつ、駆動体１６０を回転可能に支持するものである。また、把持受け部１６５は、後述する把持部１７０と嵌合するものである。
【００３２】
把持部１７０も下向きに開口するものであり、把持部本体１７１とつば部１７２によりほぼ円筒形状を呈するものである。軸部１７３は、中空筒状であり、分割された先端１７３ａ、１７３ａを有し、その間に、空所１７３ｂを有することによって内径方向に変形可能に構成され、また、該先端１７３ａ、１７３ａは外方に突出した形状を呈することによって、前記把持受け部１６５から軸部１７３が抜け出すことを防止しつつ、把持部１７０を回転可能に支持するものである。
【００３３】
ごみかご本体１２０と、蓋体１４０と回転体１５０と駆動体１６０と把持部１７０を組み立てることにより、生ごみ脱水機１００を構成する。この場合、蓋体１４０における円周溝１４２内に、前記駆動体１６０のつば部１６２が配置されると同時に軸受け部１４３は、前記駆動体１６０の駆動軸部１６４と回転可能に嵌合する。
【００３４】
また、回転体１５０は、蓋体１４０における軸受け部１４４に回転可能に支持されるとともに歯車１５３が軸受け部１４４の周りに配置される。このように、蓋体１４０と回転体１５０と駆動体１６０を組み合わせると、回転体１５０における回転軸部１５２周りに配置され、歯車１５３と駆動体１６０におけるつば部１６２の内周面に配置された歯車部１６３が噛合する。本実施例においては、歯車１５３は、歯数が１７であり、歯車部１６３の歯数は６５であるので、駆動体１６０を一回転させると、ごみかご本体１２０は、およそ３．８回転するものである。もっともこのようなギヤ比に限定されるものではないことは言うまでもない。
【００３５】
蓋体１４０と回転体１５０と駆動体１６０が組み合わされたものを、ごみかご本体１２０に配置する。この場合回転体１５０における複数のかご体係合部１５４は、ごみかご本体１２０と係合する。すなわち、複数のかご体係合部１５４は、ごみかご本体１２０の側面部１２２における、各長片１３３の上端部１３３ａと上端部１３３ａの間の空所１３３ｂと、回転体１５０の各かご体係合部１５４が係合する。
【００３６】
流し台２００のシンク２０１の排水口２０２内において、いわゆるＳ字トラップ３２０を設けることにより悪臭を防止している。この場合排水口２０２内における底部分３００はほぼ平らである（図１２参照）。もっとも、前記底部分３００は緩やかに傾斜するものであっても問題ない。
【００３７】
使用方法としては、流し台２００のシンク２０１における排水口２０２の内部において、図示しない生ごみ籠が配置されている場合がある。この場合、前記生ごみ籠を取り外し、生ごみ脱水機１００を配置する。
【００３８】
このとき、生ごみ脱水機１００から、回転体１５０と駆動体１６０が取り付けられた蓋体１４０を一度取り除く。この後、調理することにより排出された生ごみを、ごみかご本体１２０内に回収したのちに、再び上記蓋体１４０をごみかご本体１２０上に載置する。この場合、上記蓋体１４０は、排水口２０２と係合する。すなわち蓋体１４０におけるつば部小径部１４１ｃと係合する。したがって、つば部大径部１４１ａとつば部中径部１４１ｂは、排水口２０２内に入ることはなく、縁部２０２ａ上に載置されることになる。よって蓋体１４０は、ごみかご本体１２０に取り付けるといっても、蓋体１４０自体は、排水口２０２と係合することによって、蓋体１４０自体が吊り下げられた状態となり、蓋体１４０および当該蓋体１４０に配置された回転体１５０における回転本体１５１が、ごみかご本体１２０を圧迫しないように配置された状態となる。一方で軸部１２７は底部３００と接することにより、ごみかご本体１２０が前記軸部１２７によって支えられている（図１２Ａ、１２Ｂ参照）。
【００３９】
なお、排水口の口径によっては、上述の蓋体１４０のつば部１４１におけるつば部中径部１４１ｂ、つば部小径部１４１ｃのいずれかと係合することができる。よって、生ごみ脱水機１００は、前記軸部１２７と、シンクにおける排水口２０２で支えることができ、生ごみ脱水機１００の回転をよりスムーズにすることを可能にするという構成である。
【００４０】
ごみかご本体１２０は、回転本体１５１から垂れ下がるように配置された複数のかご体係合部１５４と係合しているために、ごみかご本体１２０の中心は蓋体１４０の中心と一致し、上記のとおり蓋体１４０と排水口２０２の中心も一致する。よってごみかご本体１２０は、排水口２０２よりもその径が小であるために排水口２０２の内部と多少接する場合があるものの、ごみかご本体１２０がスムーズに回転することができる。なお、排水口の大きさによって当該排水口と係合するものが、つば部中径部１４１ｂである場合は、つば部大径部１４１ａが、排水口内に入ることはなく、縁部２０２ａ上に載置されているので、蓋体１４０と軸部１２７により、ごみかご本体１２０が支えられているので、当該ごみかご本体１２０がスムーズに回転することができる。
【００４１】
また、排水口２０２と異なる口径の排水口であっても、そのバリエーションは限定的であるので、あらかじめ他の口径の寸法に設定することにより、上述の蓋体１４０のつば部１４１におけるつば部中径部１４１ｂ、つば部小径部１４１ｃのいずれかと、前記排水口は係合することができる。そのために、安定して蓋体１４０を上記排水口に配置することができる。よって、蓋体１４０の中心は排水口の中心と同一線上に配置される。また、側面部１２２において複数の長片１３３と短片１３４が設けられ、各長片１３３の上端部１３３ａと上端部１３３ａの間の複数の空所１３３ｂと、回転体１５０における回転本体１５１から垂れ下がるように配置された複数の各かご体係合部１５４と係合することで蓋体１４０とごみかご本体１２０の位置が定まることにより、ごみかご本体１２０をほぼ排水口内の中心に配置することができる。よって、ごみかご本体１２０の中心と蓋体１４０の中心と排水口の中心がほぼ同一線上に配置され、また、前記軸部１２７が、ごみかご本体１２０における底部１２１のほぼ中心に配置されているので、前記軸部１２７と底部分３００が接することで、生ごみ脱水機１００におけるみかご本体１２０の回転をよりスムーズにすることが可能となる。なお、排水溝の口径としては、その内径が１４５ｍｍ、１４８．５０ｍｍ、７９．８ｍｍ、８６ｍｍ、８６．８０ｍｍなどのバリエーション及びその他規格も存在するが、これらに限られることはない。
【００４２】
なお、ごみかご本体１２０のフランジ部１２５が排水口２０２内の段差部２０４に接しないように配置し、回転体１５０におけるかご体係合部１５４がごみかご本体１２０と係合し、蓋体１４０が、排水口２０２と係合している状態において、排水口２０２内の深さに応じて、軸部１２７を軸部１２７′あるいは軸部１２７″に適宜変更することができる。
【００４３】
なお、駆動体１６０が蓋体１４０の中心からずれた位置に配置されていることから、支持装置１０を配置することなくシンク２０１における排水口２０２内に生ごみ脱水機１００のみを配置すると駆動体１６０に配置されている把持部１７０を回しても力のかかり具合が偏向し回転がスムーズにいかない可能性があるが、上記のとおり排水口２０２内に配置する際に、支持装置１０の上に生ごみ脱水機１００を配置し、かつシンク２０１の排水口２０２が当該生ごみ脱水機１００における蓋体１４０と係合することで前記排水口２０２に支持され、かつ底部１２１の中心が支持装置１０に支持されているために、駆動体１６０が蓋体１４０の中心から偏心していたとしてもスムーズに回転することができ、回収された生ごみを脱水することができる。なお、駆動体１６０が蓋体１４０の中心から偏心するというのは、駆動体１６０の回転する中心が蓋体１４０の中心からずれるということであり駆動体１６０の回転する中心と蓋体１４０の中心が一致しないということである。
【００４４】
生ごみ脱水機１００′を、いわゆるＳ字トラップ３２０′を設けることにより悪臭を防止している流し台２００′のシンク２０１′における排水口２０２′の内部において、上記と同様に生ごみ脱水機１００′を配置する。なお、排水口内の深さによって、生ごみ脱水機１００あるいは生ごみ脱水機１００′を適宜選択することができることは言うまでもない。
【００４５】
また、生ごみ脱水機１００′は、ごみかご本体１２０′と、蓋体１４０と回転体１５０と駆動体１６０と把持部１７０を有するものであり、ごみかご本体１２０′とごみかご本体１２０はその容量が相違するのみで他の構成すなわち、蓋体１４０と回転体１５０と駆動体１６０と把持部１７０の構成は同一であるので符号を付しその説明は省略する（図１４参照）。さらに、排水口２０２′内の深さに応じて、軸部１２７′を軸部１２７″に適宜変更することができることは言うまでもない。
【符号の説明】
【００４６】
１００、生ごみ脱水機
１２０、ごみかご本体
１２７、軸部
１４０、蓋体
１５０、回転体
１５４、かご体係合部
１６０、駆動体
１７０、把持部
２０１、２０１′、シンク
２０２、２０２′、排水口
３００、３００′、底部分
【図１】
0006622000.tif 000002
【図２】
0006622000.tif 000003
【図３】
0006622000.tif 000004
【図４】
0006622000.tif 000005
【図５】
0006622000.tif 000006
【図６】
0006622000.tif 000007
【図７】
0006622000.tif 000008
【図８】
0006622000.tif 000009
【図９】
0006622000.tif 000010
【図１０】
0006622000.tif 000011
【図１１】
0006622000.tif 000012
【図１２】
0006622000.tif 000013
【図１３】
0006622000.tif 000014
【図１４】
0006622000.tif 000015